(57)【要約】【課題】煩雑な処理を追加することなく必要時に迅速に放送局リストを更新することができる放送受信機を提供すること。【解決手段】ＤＡＢ受信機は、放送番組を受信する第１チューナ１０と、受信可能な放送局をサーチするサーチ処理と放送局のデータサービス（ＥＰＧデータ）を受信するデータサービス受信処理を選択的に実施する第２チューナ２０とを有する。また、ＤＡＢ受信機は、サーチ処理を行うサーチ処理部４２と、サーチ処理部４２によってサーチ処理が行われる毎にサーチ結果を記憶するサーチ結果記憶部４４と、今回のサーチ結果とサーチ結果記憶部４４に記憶されたサーチ結果とを比較し、受信可能な放送局に変化があった場合に、サーチ処理の割合を大きくするとともにデータサービス受信処理の割合を小さくする指示を第２チューナに対して行う処理割合設定部４８とを備える。【選択図】図１
2015115906.tif 000002
【特許請求の範囲】
【請求項１】
放送番組を受信する第１チューナと、受信可能な放送局をサーチするサーチ処理と放送局のデータサービスを受信するデータサービス受信処理を選択的に実施する第２チューナとを有する放送受信機において、
前記サーチ処理を行うサーチ処理部と、
前記サーチ処理部によって前記サーチ処理が行われる毎にサーチ結果を記憶するサーチ結果記憶部と、
前記サーチ処理部による今回のサーチ結果と前記サーチ結果記憶部に記憶されたサーチ結果とを比較し、受信可能な放送局に変化があった場合に、前記サーチ処理の割合を大きくするとともに前記データサービス受信処理の割合を小さくする設定を行う処理割合設定部と、
を備えることを特徴とする放送受信機。
【請求項２】
請求項１において、
前記処理割合設定部は、前記サーチ処理部による今回のサーチ結果と前記サーチ結果記憶部に記憶されたサーチ結果とを比較し、受信可能な放送局に変化がない場合に、前記サーチ処理の割合を小さくするとともに前記データサービス受信処理の割合を大きくする設定を行うことを特徴とする放送受信機。
【請求項３】
請求項１または２において、
前記処理割合設定部は、受信可能な放送局の変化の有無を、受信可能な放送局の数に基づいて判定することを特徴とする放送受信機。
【請求項４】
請求項１〜３のいずれか一項において、
受信周波数帯域に対応して前記サーチ処理を行うために所定の所要時間が必要であり、
前記処理割合設定部は、受信可能な放送局に変化がない場合に、前記サーチ処理に必要な前記所要時間を維持するとともに、前記データサービス受信処理を行う時間を、受信可能な放送局に変化があった場合に比べて長くすることを特徴とする放送受信機。
【請求項５】
請求項１〜４のいずれか一項において、
前記処理割合設定部は、受信可能な放送局に変化があった場合に、前記サーチ処理に必要な前記所要時間を維持するとともに、前記所要時間を要する前記サーチ処理を連続して繰り返し実施することを特徴とする放送受信機。
【請求項６】
請求項１〜５のいずれか一項において、
前記データサービス受信処理には、電子番組案内データおよびＴＰＥＧデータの少なくとも一方の取得処理が含まれることを特徴とする放送受信機。
【発明の詳細な説明】
【技術分野】
【０００１】
本発明は、ＤＡＢ（Digital Audio Broadcasting）放送規格等にしたがった番組データを受信する放送受信機に関する。
【背景技術】
【０００２】
従来から、放送局情報と交通情報とを受信する受信部を備え、電界強度スキャンにより電波環境を監視し、電波環境が正常でないと判定されたときに周波数スキャンを行って、受信部により受信した放送局情報に基づいて、受信可能な放送局リスト（ステーションリスト）を更新するようにしたラジオデータシステムが知られている（例えば、特許文献１参照。）。
【先行技術文献】
【特許文献】
【０００３】
【特許文献１】特開２０１１−１９０４１号公報
【発明の概要】
【発明が解決しようとする課題】
【０００４】
ところで、特許文献１に開示されたシステムでは、放送局リストの更新の有無を判定するために電界強度スキャンを行う必要があり、処理が煩雑であるという問題があった。また、電波環境に応じて放送局リストの更新タイミングが変更され、これに伴ってそれ以外のＲＤＳデータであるＴＭＣの受信タイミングも変更されるが、ＲＤＳデータの受信時間自体は従来通りであり、それ以外のＲＤＳデータを効率よく取得することはできないという問題があった。
【０００５】
本発明は、このような点に鑑みて創作されたものであり、その目的は、煩雑な処理を追加することなく必要時に迅速に放送局リストを更新することができ、放送局リスト更新の合間を利用して効率よくデータサービスを受信することができる放送受信機を提供することにある。
【課題を解決するための手段】
【０００６】
上述した課題を解決するために、本発明の放送受信機は、放送番組を受信する第１チューナと、受信可能な放送局をサーチするサーチ処理と放送局のデータサービスを受信するデータサービス受信処理を選択的に実施する第２チューナとを有する放送受信機において、サーチ処理を行うサーチ処理部と、サーチ処理部によってサーチ処理が行われる毎にサーチ結果を記憶するサーチ結果記憶部と、サーチ処理部による今回のサーチ結果とサーチ結果記憶部に記憶されたサーチ結果とを比較し、受信可能な放送局に変化があった場合に、サーチ処理の割合を大きくするとともにデータサービス受信処理の割合を小さくする設定を行う処理割合設定部とを備えている。
【０００７】
繰り返し行われるサーチ処理の結果を比較することで受信可能な放送局の変化の有無を判定し、変化があった場合にサーチ処理の割合を高くしているため、電界強度のスキャンのような煩雑な処理を追加することなく必要時に迅速にサーチ処理を行って放送局リストを更新することが可能となる。
【０００８】
また、上述した処理割合設定部は、サーチ処理部による今回のサーチ結果とサーチ結果記憶部に記憶されたサーチ結果とを比較し、受信可能な放送局に変化がない場合に、サーチ処理の割合を小さくするとともにデータサービス受信処理の割合を大きくする設定を行うことが望ましい。受信可能な放送局の変化がない場合にはデータサービス受信処理の割合を高くしているため、サーチ動作（放送局リスト作成）の合間を利用して効率よくデータサービスを受信することが可能となる。
【０００９】
また、上述した処理割合設定部は、受信可能な放送局の変化の有無を、受信可能な放送局の数に基づいて判定することが望ましい。これにより、放送局数を比較するという簡単な処理によって、受信可能な放送局の変化の有無を知ることが可能となる。
【００１０】
また、受信周波数帯域に対応してサーチ処理を行うために所定の所要時間が必要であり、処理割合設定部は、受信可能な放送局に変化がない場合に、サーチ処理に必要な所要時間を維持するとともに、データサービス受信処理を行う時間を、受信可能な放送局に変化があった場合に比べて長くすることが望ましい。これにより、サーチ動作の合間を利用して効率よくデータサービスを受信することが可能となる。
【００１１】
また、上述した処理割合設定部は、受信可能な放送局に変化があった場合に、サーチ処理に必要な所要時間を維持するとともに、所要時間を要するサーチ処理を連続して繰り返し実施することが望ましい。これにより、最短の時間でサーチ処理を実施して確実に最新の放送局リストを得ることが可能となる。
【００１２】
また、上述したデータサービス受信処理には、電子番組案内データおよびＴＰＥＧ（Transport Protocol Experts Group）データの少なくとも一方の取得処理が含まれることが望ましい。これにより、受信可能な放送局が変化した場合に迅速に放送局リストを更新するとともに、受信可能な放送局が変化しない場合には、電子番組案内データやＴＰＥＧを効率よく迅速に受信することが可能となる。
【図面の簡単な説明】
【００１３】
【図１】一実施形態のＤＡＢ受信機の構成を示す図である。
【図２】ＤＡＢ放送信号のフレーム構成を示す図である。
【図３】受信可能な放送局をサーチするサーチ処理の結果に基づいてサーチ処理とデータサービス受信処理の割合を可変する動作手順を示す流れ図である。
【図４】放送局数の変化とＥＰＧデータ受信処理との関係を示す説明図である。
【発明を実施するための形態】
【００１４】
以下、本発明の放送受信機を適用した一実施形態のＤＡＢ（Digital Audio Broadcasting）受信機について、図面を参照しながら説明する。図１は、一実施形態のＤＡＢ受信機の構成を示す図である。図１に示すように、本実施形態のＤＡＢ受信機は、第１チューナ１０、第２チューナ２０、デコーダ３０、出力処理部３２、アンプ３４、スピーカ３６、制御部４０、表示部５０、操作部５２を備えている。このＤＡＢ受信機は、車両に搭載されている。
【００１５】
第１チューナ１０は、放送番組を受信するためのものである。具体的には、第１チューナ１０およびデコーダ３０は、変調方式としてＯＦＤＭ（Orthogonal Frequency Division Multiplexing）を用いたマルチキャリア方式で放送されたデジタル放送信号（ＤＡＢ放送信号）を受信して復調処理および復号化処理を行って音声データを再生する。例えば、この第１チューナ１０は、フロントエンド（Ｆ／Ｅ）１２、アナログ−デジタル変換器（Ａ／Ｄ）１４を含んで構成されている。フロントエンド１２は、アンテナ１６を介して受信した放送信号を中間周波信号に変換する。アナログ−デジタル変換器１４は、アナログの中間周波信号をデジタルデータ（中間周波データ）に変換する。デコーダ３０は、中間周波データに対して復調処理と復号化処理を行ってサービス毎の音声データを生成する。
【００１６】
なお、本実施形態では、フロントエンド１２から出力される中間周波信号をデジタルデータに変換した後にデコーダ３０で復調処理と復号化処理を行っているが、どの部分までをアナログ処理で行い、どの部分からデジタル処理で行うかは適宜変更可能である。
【００１７】
図２は、ＤＡＢ放送信号のフレーム構成を示す図である。図２に示すように、ＤＡＢ放送信号のフレームは、同期チャネル、ファースト・インフォメーション・チャネルＦＩＣ、メイン・サービス・チャネルＭＳＣによって構成されている。
【００１８】
同期チャネルは、ＮＵＬＬシンボルと位相基準シンボルＰＲＳ（Phase Reference Symbol）からなり、フレームの先頭部分を検出してフレーム同期をとるために用いられる。ファースト・インフォメーション・チャネルＦＩＣは、メイン・サービス・チャネルＭＳＣの内容を説明する領域であり、時間／日付データ、サービス（番組）の配列データ、サービスのラベル（名称）、サービス識別コードＳＩＤ（Service Identification Code）などが含まれる。複数個のＦＩＧ（ファースト・インフォメーション・グループ）がエネルギ拡散されて、所定の情報単位である１個のＦＩＢ（ファースト・インフォメーション・ブロック）を構成している。また、各ＦＩＢは、畳み込み符号化され、この畳み込み符号化された３個のＦＩＢが１個のＦＩＣを構成している。メイン・サービス・チャネルＭＳＣは、複数のサービスのそれぞれに対応する主に音楽データが含まれる。このメイン・サービス・チャネルＭＳＣは、エネルギ拡散され、畳み込み符号化され、タイムインターリーブされた複数個のサブ・チャネル（ＳｕｂＣｈ）を含んでいる。
【００１９】
出力処理部３２は、デコーダ３０から出力される音声データが入力されており、音量の可変制御や他の音（例えば操作音）の重ね合わせ処理等を行う。アンプ３４は、出力処理部３２から出力される音声データを増幅してスピーカ３６から増幅後の音声を出力する。なお、実際には、出力処理部３２における各種処理後の音声データをアナログの音声信号に変換する必要がある。この変換処理は出力処理部３２内で行ってもよいが、出力処理部３２の後段にデジタル−アナログ変換器を設けて行うようにしてもよい。
【００２０】
第２チューナ２０は、受信可能な放送局をサーチするサーチ処理と放送局のデータサービスを受信するデータサービス受信処理を行うためにＤＡＢ信号を受信するためのものである。この第２チューナ２０は、第１チューナ１０と同様に、フロントエンド（Ｆ／Ｅ）２２、アナログ−デジタル変換器（Ａ／Ｄ）２４を含んで構成されている。フロントエンド２２は、アンテナ１６を介して受信した放送信号を中間周波信号に変換する。アナログ−デジタル変換器２４は、アナログの中間周波信号をデジタルデータ（中間周波データ）に変換する。
【００２１】
制御部４０は、ＤＡＢ受信機全体の受信動作を制御するとともにサーチ処理やデータサービス受信処理などを行う。このために、制御部４０は、サーチ処理部４２、サーチ結果記憶部４４、ＥＰＧ処理部４６、処理割合設定部４８を備えている。なお、通常の受信動作の制御に関する構成（受信対象となるサービス（番組）を選択する動作や受信中のサービスについて受信内容を表示する動作などに必要な構成）については図示が省略されている。
【００２２】
サーチ処理部４２は、受信周波数帯を所定方向に周波数掃引して、受信周波数帯に含まれる複数のアンサンブルを検出し、各アンサンブルに対応する放送局のリストを作成する。サーチ結果記憶部４４は、サーチ処理部４２によるサーチ結果（放送局リスト）を記憶する。ＥＰＧ処理部４６は、受信周波数帯に含まれる複数のアンサンブルの内容を調べて、各アンサンブルに含まれるサービス（番組）の一覧であるＥＰＧ（電子番組案内）を作成する。本実施形態では、データサービス受信処理としてＥＰＧデータ受信処理を行い、受信したＥＰＧデータを用いてＥＰＧ処理部４６によってＥＰＧを作成するものとする。
【００２３】
処理割合設定部４８は、サーチ処理部４２による今回のサーチ結果とサーチ結果記憶部４４に記憶されたサーチ結果とを比較し、受信可能な放送局に変化があった場合に、サーチ処理の割合を大きくするとともにデータサービス受信処理の割合を小さくする設定を行う。また、処理割合設定部４８は、サーチ処理部４２による今回のサーチ結果とサーチ結果記憶部４４に記憶されたサーチ結果とを比較し、受信可能な放送局に変化がない場合に、サーチ処理の割合を小さくするとともにデータサービス受信処理の割合を大きくする設定を行う。なお、処理割合設定部４８は、受信可能な放送局の変化の有無を、受信可能な放送局の数に基づいて判定する。
【００２４】
本実施形態のＤＡＢ受信機はこのような構成を有しており、次にその動作を説明する。図３は、受信可能な放送局をサーチするサーチ処理の結果に基づいてサーチ処理とデータサービス受信処理の割合を可変する動作手順を示す流れ図である。
【００２５】
サーチ処理部４２は、サーチ処理実施のタイミングか否かを判定する（ステップ１００）。例えば、本実施形態では、サーチ処理部４２によるサーチ処理とＥＰＧ処理部４６によるＥＰＧデータ受信処理とがほぼ交互に実施され、少なくともＥＰＧデータ受信処理時あるいはサーチ処理時に次のサーチ処理の開始タイミングがわかっているものとする。
【００２６】
サーチ処理実施のタイミングが到来しない場合にはステップ１００の判定において否定判断が行われ、この判定が繰り返される。また、サーチ処理実施のタイミングが到来するとステップ１００の判定において肯定判断が行われ、サーチ処理部４２は、サーチ処理を実施する（ステップ１０２）。また、サーチ処理終了後（あるいはサーチ処理と並行して）、サーチ結果記憶部４４は、サーチ処理結果を記憶する（ステップ１０４）。
【００２７】
次に、処理割合設定部４８は、サーチ処理部４２による今回のサーチ結果とサーチ結果記憶部４４によって記憶された前回のサーチ結果とを比較し、受信可能な放送局（具体的には受信可能な放送局数）に変化があったか否かを判定する（ステップ１０６）。受信品質（電波状態）が安定していて、放送局数に変化がなかった場合には否定判断が行われる。この場合には、処理割合設定部４８は、サーチ処理に必要な所要時間を維持しつつ次のＥＰＧデータの取得時間（ＥＰＧデータ受信処理の時間）を長く設定する（ステップ１０８）。処理割合設定部４８は、このような設定をサーチ処理部４２とＥＰＧ処理部４６に対して指示することにより、サーチ処理の割合を小さくするとともにＥＰＧデータの取得処理の割合を大きくしている。
【００２８】
また、車両の走行等に応じて受信品質（電波状態）が変化するような場合であって放送局数に変化があった場合にはステップ１０６の判定において肯定判断が行われる。次に、処理割合設定部４８は、放送局数の変化が１局か否かを判定する（ステップ１１０）。１局の場合（放送局数の変化が小さい場合）には肯定判断が行われる。この場合には、処理割合設定部４８は、サーチ処理に必要な所要時間を維持しつつ次のＥＰＧデータの取得時間（ＥＰＧデータ受信処理の時間）を短く設定する（ステップ１１２）。処理割合設定部４８は、このような設定をサーチ処理部４２とＥＰＧ処理部４６に対して指示することにより、サーチ処理の割合を大きくするとともにＥＰＧデータの取得処理の割合を小さくしている。
【００２９】
また、放送局数の変化が２局以上の場合（放送局数の変化が大きい場合）にはステップ１１０の判定において否定判断が行われる。この場合には、処理割合設定部４８は、サーチ処理に必要な所要時間を維持するとともに、次に実施予定のＥＰＧデータ受信処理に代えてサーチ処理を連続して繰り返し実施する指示をサーチ処理部４２に対して行う（ステップ１１４）。その後、ステップ１０２に戻って、直ちにサーチ処理が実施される。
【００３０】
なお、上述した流れ図にはＥＰＧデータ受信処理の動作手順は含まれていないが、ステップ１０２のサーチ処理が終了してから、次にサーチ処理実施のタイミングが到来するまでの間にＥＰＧデータ受信処理が行われる。
【００３１】
図４は、放送局数の変化とＥＰＧデータ受信処理との関係を示す説明図である。図４において、「サーチ」はサーチ処理の実施タイミングを、「ＥＰＧ」はＥＰＧデータ受信処理の実施タイミングをそれぞれ示している。また、Ｔ０は、サーチ処理の実施に必要な所要時間であり、一定の時間が毎回確保される。Ｔ１０、Ｔ１１は、ＥＰＧデータ受信処理の実施に割り当てられた時間である。
【００３２】
図４（Ａ）に示すように、前回と今回のサーチ結果を比較して放送局数に変化がない場合には、今回のサーチ処理の次に実施されるＥＰＧデータ受信処理の時間Ｔ１０は、前回のＥＰＧデータ受信処理の時間Ｔ１０と同じであって、放送局数に変化があった場合の時間Ｔ１１（図４（Ｂ））と比べて長く設定される。
【００３３】
また、図４（Ｂ）に示すように、前回と今回のサーチ結果を比較して放送局数の変化が１の場合には、今回のサーチ処理の次に実施されるＥＰＧデータ受信処理の時間Ｔ１１は、前回のＥＰＧデータ受信処理の時間Ｔ１０よりも短く、あるいは、放送局数に変化がなかった場合のＥＰＧデータ受信処理の時間Ｔ１０（図４（Ａ））よりも短く設定される。
【００３４】
さらに、図４（Ｃ）に示すように、前回と今回のサーチ結果を比較して放送局数の変化が２以上の場合には、今回のサーチ処理の次に本来実施されるＥＰＧデータ受信処理を取り消して、代わりに次回のサーチ処理が続けて実施される。
【００３５】
このように、本実施形態のＤＡＢ受信機では、繰り返し行われるサーチ処理の結果を比較することで受信可能な放送局の変化の有無を判定し、変化があった場合にサーチ処理の割合を高くしているため、電界強度のスキャンのような煩雑な処理を追加することなく必要時に迅速にサーチ処理を行って放送局リストを更新することが可能となる。
【００３６】
また、受信可能な放送局の変化がない場合にはＥＰＧデータ受信処理の割合を大きくしているため、サーチ動作（放送局リスト作成）の合間を利用して効率よくＥＰＧデータを受信することが可能となる。
【００３７】
特に、処理割合設定部４８は、受信可能な放送局の変化の有無を、受信可能な放送局の数に基づいて判定している。これにより、放送局数を比較するという簡単な処理によって、受信可能な放送局の変化の有無を知ることが可能となる。
【００３８】
また、受信周波数帯域に対応してサーチ処理を行うために所定の所要時間Ｔ０が必要であって、処理割合設定部４８は、受信可能な放送局に変化がない場合に、サーチ処理に必要な所要時間Ｔ０を維持するとともに、ＥＰＧデータ受信処理を行う時間Ｔ１０を、受信可能な放送局に変化があった場合の時間Ｔ１１に比べて長く設定している。これにより、サーチ動作の合間を利用して効率よくＥＰＧデータを受信することが可能となる。
【００３９】
また、処理割合設定部４８は、受信可能な放送局に変化があった場合に、サーチ処理に必要な所要時間Ｔ０を維持するとともに、所要時間Ｔ０を要するサーチ処理を連続して繰り返し実施する指示をサーチ処理部４２に対して行っている。これにより、最短の時間でサーチ処理を実施して確実に最新の放送局リストを得ることが可能となる。
【００４０】
なお、本発明は上記実施形態に限定されるものではなく、本発明の要旨の範囲内において種々の変形実施が可能である。上述した実施形態では、放送局のデータサービスとしてＥＰＧデータの受信およびＥＰＧの作成を考えたが、その他のデータサービスに置き換えたり、並行あるいは交互に行うようにしても良い。例えば、その他のデータサービスとしてＴＰＥＧ（Transport Protocol Experts Group）データを受信してその内容表示等を行うようにしてもよい。この処理は、ＥＰＧデータの受信と並行に行ったり交互に行うようにしてもよい。
【００４１】
また、上述した実施形態では、第１チューナ１０を放送番組を受信するために用い、第２チューナ２０をサーチ処理およびデータサービス受信用に用いたが、第２チューナ２０の後段にもデコーダを設け、放送番組を２系統の構成で別々に受信したり、あるいは、ダイバーシティ受信するようにしてもよい。ダイバーシティ受信用には、アンテナ１６も第１チューナ１０と第２チューナ２０とで別々のものを設けることが望ましい。
【産業上の利用可能性】
【００４２】
上述したように、本発明によれば、繰り返し行われるサーチ処理の結果を比較することで受信可能な放送局の変化の有無を判定し、変化があった場合にサーチ処理の割合を高くしているため、電界強度のスキャンのような煩雑な処理を追加することなく必要時に迅速にサーチ処理を行って放送局リストを更新することが可能となる。
【符号の説明】
【００４３】
１０  第１チューナ
２０  第２チューナ
３０  デコーダ
３２  出力処理部
４０  制御部
４２  サーチ処理部
４４  サーチ結果記憶部
４６  ＥＰＧ処理部
４８  処理割合設定部
５０  表示部
５２  操作部
【図１】
2015115906.tif 000003
【図２】
2015115906.tif 000004
【図３】
2015115906.tif 000005
【図４】
2015115906.tif 000006